(57)【要約】      （修正有）【課題】簡単な構成でありながら、扉の外周縁を受ける扉支持具に溜まる水を、排水ユニットを介して効率良く排水することができる、排水ユニット、排水システム、および排水方法を提供する。【解決手段】排水システムＡは、スライド式扉の外周縁を受けて該扉を支持する長尺溝状の扉支持具１と、流入する水を受容する有底箱状の本体部２０、本体部２０の上部開口に着脱可能に覆設されると共に、本体部２０の内外を連通する通水部であるスリット２２１が形成された蓋部２２、扉支持具１と本体部２０との間に介設され、扉支持具１と本体部２０の両内部間を連通する導水部２３、および本体部２０に形成され、本体部２０内を排水路に連通する排水部２４を有する排水ユニットと、を備える。【選択図】図２
2018178557.tif 000002
【特許請求の範囲】
【請求項１】
流入する水を受容する有底箱状の本体部と、
該本体部の上部開口に着脱可能に覆設されると共に、前記本体部の内外を連通する通水部が形成された蓋部と、
扉の外周縁を受けて該扉を支持する長尺溝状の扉支持具と前記本体部との間に介設され、同扉支持具と本体部の両内部間を連通する導水部と、
前記本体部に連設され、該本体部内を排水路に連通する排水部とを備える
排水ユニット。
【請求項２】
前記本体部は、
底面に凹状の枡部を有し、
該枡部の側壁部に、前記導水部に接続する第１連結口と前記排水部に接続する第２連結口とが対向して形成されると共に、前記導水部内から第１連結口を通る第１軸心と第２連結口から排水部内を通る第２軸心とが互いに平行に近接して配置される
請求項１に記載の排水ユニット。
【請求項３】
前記第１連結口の下縁は、
前記第２連結口の下縁よりも高位置に設定する
請求項２に記載の排水ユニット。
【請求項４】
前記第１連結口は、
前記第１軸心と第２軸心間にあって両軸心に平行な中間軸心の方向視において、前記第２連結口の内側に形成される
請求項２または請求項３に記載の排水ユニット。
【請求項５】
前記第２連結口の下縁の少なくとも一部は、
前記枡部の底面と略同一高さに設定する
請求項２、請求項３または請求項４に記載の排水ユニット。
【請求項６】
前記枡部には、
該枡部の底面から前記第２連結口を開口した側壁にかけて凹状の隅部を形成し、
該隅部に水を当てて水中の不純物の移動を抑える移動抑止構造を有する
請求項２、請求項３、または請求項４に記載の排水ユニット。
【請求項７】
前記導水部は、
該導水部の流路底面に、
前記扉支持具側から第１連結口側に向かって下方傾斜する傾斜面を有する
請求項１、請求項２、請求項３、請求項４、請求項５または請求項６に記載の排水ユニット。
【請求項８】
前記通水部は、
前記本体部の内外を貫通する長尺のスリットであって、
該スリットは、前記扉支持具の長手方向に平行に複数形成される
請求項１、請求項２、請求項３、請求項４、請求項５、請求項６または請求項７に記載の排水ユニット。
【請求項９】
前記本体部は、
前記上部開口に、外側に張り出した長尺フランジ状の張出縁部を設け、
該張出縁部は、前記扉支持具の長手方向に略平行な部分のみに限定して配置することにより、同扉支持具の短手方向への水の流れを抑制する水切り構造を有する
請求項１、請求項２、請求項３、請求項４、請求項５、請求項６、請求項７または請求項８に記載の排水ユニット。
【請求項１０】
扉の外周縁を受けて該扉を支持する長尺溝状の扉支持具と、
流入する水を受容する有底箱状の本体部、該本体部の上部開口に着脱可能に覆設されると共に、前記本体部の内外を連通する通水部が形成された蓋部、前記扉支持具と本体部との間に介設され、同扉支持具と本体部の両内部間を連通する導水部、および前記本体部に連設され、該本体部内を排水路に連通する排水部を有する排水ユニットとを備える
排水システム。
【請求項１１】
扉の外周縁を受けて該扉を支持する長尺溝状の扉支持具内に流入した水を、該扉支持具と排水ユニットの有底箱状の本体部との間に連通可能に介設された導水部を介して、前記本体部にまで導く導水ステップと、
前記扉支持具内からの水を、前記本体部の上部開口に着脱可能に覆設された蓋部の通水部を通って本体部内に流入する水と一緒に、前記本体部に連設された排水部を介して排水路へ排出する排水ステップとを備える
排水
【発明の詳細な説明】
【技術分野】
【０００１】
本発明は、排水ユニット、排水システム、および排水方法に関する。詳しくは、簡単な構成でありながら、扉の外周縁の下端を受ける扉支持具に溜まる水を、排水ユニットを介して効率良く排水することができる、排水ユニット、排水システム、および排水方法に関する。
【背景技術】
【０００２】
従来から、建物の出入口に設置されるスライド式扉には、このスライド式扉の外周縁の下端部を受けて摺動可能に支持する扉支持具として、長尺溝状のレールが採用され、このレールは、その溝部が地面よりも低くなるようにして埋設される場合が多い。
【０００３】
このようなレールの一例として、特許文献１の図３に記載されているような下部ガイドレール９１が提案されており、この下部ガイドレール９１の構成を図１３（ａ）および（ｂ）に示す。下部ガイドレール９１には、図１３（ｂ）に示すように、長尺溝状のガイド溝９２が形成されており、この下部ガイドレール９１は、スライド式扉９０に一般的に使用される態様のものである。
【先行技術文献】
【特許文献】
【０００４】
【特許文献１】特開２００７−３２１４４５号公報
【発明の概要】
【発明が解決しようとする課題】
【０００５】
ところで、前述の下部ガイドレール９１にガイド溝９２を介して摺動可能に支持されたスライド式扉９０を、建物の屋外との出入口に設置した場合、雨水、雪解け水、洗浄水など（以下、「雨水等」とする）が、スライド式扉９０の外表面に付着してそのまま流下したり、あるいは、地面上を伝って下部ガイドレール９１まで流動したりするため、地面Ｆ１よりも低い位置にあるガイド溝９２内部には雨水等が流入して溜まりやすく、しかも、溜まった水を排水路へ排出する経路もないことから、ガイド溝９２からの排水は手作業で行う必要があり、排水作業の作業負荷が大きい。
【０００６】
更に、風雨が続いてガイド溝９２の容量を超えた水が流入すると、ガイド溝９２の屋内側でスライド式扉９０との隙間部分から屋内へ水が溢れ、屋内側に溢れた水は、屋内の床面Ｆ２を濡らしたり、あるいはフロアマット等に染みを作ったりするため、ガイド溝９２内の水の拭き取りを頻繁に行う必要があり、この排水作業の作業頻度が高く、雨が長引けば長期間にわたって排水作業に拘束される恐れがある。
【０００７】
加えて、ガイド溝９２からの排水作業時には、スライド式扉９０を一度開放してからガイド溝９２を露出させる必要があり、強い風雨が続くような状況下では、排水作業を行うことで却って屋内の床面Ｆ２を濡らしてしまうおそれがある。
【０００８】
本発明は、以上の点を鑑みて創案されたものであり、簡単な構成でありながら、扉の外周縁を受ける扉支持具に溜まる水を、排水ユニットを介して効率良く排水することができる、排水ユニット、排水システム、および排水方法を提供することを目的とする。
【課題を解決するための手段】
【０００９】
上記の目的を達成するために、本発明の排水ユニットは、流入する水を受容する有底箱状の本体部と、本体部の上部開口に着脱可能に覆設されると共に、本体部の内外を連通する通水部が形成された蓋部と、扉の外周縁を受けて扉を支持する長尺溝状の扉支持具と本体部との間に介設され、扉支持具と本体部の両内部間を連通する導水部と、本体部に連設され、本体部内を排水路に連通する排水部とを備える。
【００１０】
そして、流入する水を受容する有底箱状の本体部を備えるので、上部開口から本体部内に直接流入する水に加え、並設された扉支持具内に溜まる水も、例えば後述する導水部を介し流入させるようにして、この本体部を様々な排水の集水器として機能させることができる。
【００１１】
更に、本体部の上部開口に着脱可能に覆設されると共に、本体部の内外を連通する通水部が形成された蓋部を備えるので、歩行者が上部開口に足下を取られることなく蓋部上を通って扉に向かうことができると共に、蓋部を取り外して本体部内に容易にアクセスして清掃作業ができる。しかも、扉支持具内から溢れ出てきた水も、蓋部上に溜まることなく、孔やスリットのような通水部を介して本体部内に円滑に流入するため、歩行者が蓋部上で滑ることがない。これにより、本体部の集水器としての機能を充分に発揮させつつ、歩行者の通行性や清掃作業の作業性を高めることができる。
【００１２】
加えて、扉の外周縁を受けて扉を支持する長尺溝状の扉支持具と本体部との間に介設され、扉支持具と本体部の両内部間を連通する導水部を備えるので、この導水部を介することにより、扉支持具内に溜まる水を排水ユニットの本体部に流入させることができる。
【００１３】
そして、本体部に連設され、本体部内を排水路に連通する排水部を備えるので、この排水部を介することにより、本体部内に流入して集まった水を排水路へ排出することができる。このような、導水部、本体部、排水部を連設しただけの簡単な構成で、扉支持具内に溜まる水を、この排水部から排水路へ効率よく排出することができる。
【００１４】
以上のような構成により、本発明の排水ユニットは、雨水等がスライド式扉の外表面に付着してそのまま流下する等して扉支持具内に溜まった際においても、従来のような手作業による排水作業を行うことなく、排水ユニットへの排水が自動的に行われるようにすることができる。これにより、排水作業の作業負荷が低減できると共に、扉支持具から水が溢れたり、排水作業のために扉を一度開放したりして、屋内の床面を濡らす等のトラブルを確実に防止することができる。
【００１５】
しかも、たとえ、扉支持具内に土砂、小石、塵芥、木の枝等（以下、「不純物」とする）が溜まっても、このような不純物は、溜まった水と一緒に排水ユニットを介して排水路へ排出されるので、以前は、扉支持具と排水ユニットの各々について行っていた清掃作業を、排水ユニットのみで済ませることができる。これにより、扉支持具に関する清掃作業による作業負荷の削減も図ることができる。
【００１６】
また、本体部が、底面に凹状の枡部を有し、枡部の側壁部に、導水部に接続する第１連結口と排水部に接続する第２連結口とが対向して形成されると共に、導水部内から第１連結口を通る第１軸心と第２連結口から排水部内を通る第２軸心とが互いに平行に近接して配置される場合は、第１連結口から枡部内に流入した水を第２連結口に向かって直線的に流動させることができる。これにより、枡部内の水の通過距離が短くなると共に、水の流れが層流的なものとなって排水速度が安定し、排水効率を向上させることができる。
【００１７】
更に、枡部を、本体部の底面より低い位置に設定することができ、この高低差に伴って生じる水の流れにより、上部開口から本体部内に流入した水が導水部からの水に合流しても流速が低下しにくくなって、排水効率を更に向上させることができる。
【００１８】
加えて、枡部を、水中の不純物を沈降させて貯留するトラップ構造部として機能させることができ、本体部内に水と一緒に流れ込んだ不純物の大半が枡部の底に沈積するので、枡部を中心とした清掃によって清掃作業の作業性を更に高めることができる。
【００１９】
また、第１連結口の下縁を、第２連結口の下縁よりも高位置に設定する場合は、第１連結口から枡部内に流入した水を第２連結口の方向へ流下させるようにすることができ、互いに平行に近接配置される各軸心上に各連結口が対向して形成されることによる効果と相俟って、水を一層直線的に流動させることができる。
【００２０】
更に、枡部内に水が溜まりすぎても、第２連結口からの排水が優先されて水面が第１連結口の下縁を超えにくくすることができ、枡部内の水が導水部へ逆流するのを防止することができる。
【００２１】
また、第１連結口が、第１軸心と第２軸心間にあって両軸心に平行な中間軸心の方向視において、第２連結口の内側に形成される場合は、第１連結口から枡部内に流入した水の大部分を、周囲に分散させることなく第２連結口の方向に向かって流動させることができ、互いに平行に近接配置される各軸心上に各連結口が対向して形成されることによる効果等と相俟って、水を一層直線的に流動させることができる。
【００２２】
また、第２連結口の下縁の少なくとも一部を、枡部の底面と略同一高さに設定する場合は、枡部内から第２連結口へ向かう水の流れを一層円滑にして、排水効率を更に向上させることができる。
【００２３】
また、枡部が、枡部の底面から第２連結口を開口した側壁にかけて凹状の隅部を形成し、隅部に水を当てて水中の不純物の移動を抑える移動抑止構造を有する場合は、たとえ流水下部に粗大で重い不純物が存在しても、この粗大で重い不純物は隅部によって跳ね返され、それ以上の第２連結口内への移動が難しくなり、粗大で重い不純物の第２連結口内への流入を防いで、第２連結口に接続される排水部等の詰まりを確実に防止することができる。
【００２４】
更に、前述したトラップ構造による効果と相俟って、本体部内に水と一緒に流れ込んだ不純物のほとんどを枡部の底に沈積させることができ、枡部を中心とした清掃によって清掃作業の作業性を更に一層高めることができる。
【００２５】
また、導水部の流路底面に、扉支持具側から第１連結口側に向かって下方傾斜する傾斜面を有する場合は、導水部内に流入した水をこの傾斜面に沿うようにして流下させることで流速を速めることができ、枡部内の水の流速も速めて、排水効率を更に向上させることができる。
【００２６】
なお、この傾斜面は、例えば、導水部の上面側が平坦で底面側が下り傾斜した側面視直角三角形状に形成された態様、導水部の底面側において、この側面視直角三角形状に形成した部分と平坦部分が組み合わされて側面視直角台形状に形成された態様、筒状の導水部内に傾斜面を形成する部材を挿着して形成した態様等が挙げられ、特に限定するものではない。
【００２７】
更に、排水時には、扉支持具内に溜まった不純物が水と一緒に導水部内に流れ込むことがあるが、このような傾斜面が形成されていることによって、不純物、特に丸い砂等が転動して下方に移動しやすく、かつ、前述の如く水の流速も速くなるので、砂等が導水部内に溜まらずに枡部方向へ効率よく排出されると共に、排出された砂等は本体部や枡部の底に沈積してまとまる。
【００２８】
これにより、前述の傾斜面は、排水効率の向上のみならず、導水部内の清掃を不要とし、排水ユニット内の清掃作業の効率を更に高めることができる。
【００２９】
また、通水部が、本体部の内外を貫通する長尺のスリットであって、スリットは、扉支持具の長手方向に平行に複数形成される場合は、扉支持具内から溢れ出てきた水だけでなく、扉支持具と反対側から流れてきた水も、蓋部上を伝うように流さずに本体部内に円滑に流入するため、蓋部上に溜まるがない。これにより、扉へ向かう歩行者が蓋部上で滑らないようにして、歩行者の通行性を一層高めることができる。
【００３０】
ここで、各スリットが扉支持具の長手方向と直交する場合は、扉へ向かう歩行者の進行方向とスリット間の蓋部が延びる方向とが一致して足裏と蓋部表面との接触面積が増加し、摩擦抵抗が減少して滑りやすくなる。特に、蓋部表面が厚い水膜で覆われたような状態では滑りやすい。
【００３１】
これに対し、本発明のようにスリットが扉支持具の長手方向と平行する場合は、扉へ向かう歩行者の進行方向とスリット間の蓋部が延びる方向とが交差して足裏と蓋部表面との接触面積が減少し、摩擦抵抗が増加して滑りにくくなる。特に、足裏に、このような細いスリットと蓋部表面が交互に連続して配置されていると、蓋部の角の係止作用も加わり、たとえ蓋部表面が厚い水膜で覆われたような状態であっても滑りにくくなるため、各スリットは、扉へ向かう歩行者の足下について優れた滑り止め効果を発揮することができる。
【００３２】
また、本体部が、上部開口に、外側に張り出した長尺フランジ状の張出縁部を設け、張出縁部は、扉支持具の長手方向に略平行な部分のみに限定して配置することにより、扉支持具の短手方向への水の流れを抑制する水切り構造を有する場合は、扉支持具と反対側から流れてきた水の流れに対して平行な上部開口の外周縁には、前述の張出縁部が設けられておらず、本体部の板厚方向断面のみからなる薄い縁部が露出するにすぎないため、水はこの縁部の上面を伝うように流れることができずに水切りされて本体部内に流下する。これにより、排水ユニットの上面を伝って扉まで流れる水の量を減少させ、扉支持具内に溜まる水自体を減らすことができる。
【００３３】
上記の目的を達成するために、本発明の排水システムは、扉の外周縁を受けて扉を支持する長尺溝状の扉支持具と、流入する水を受容する有底箱状の本体部、本体部の上部開口に着脱可能に覆設されると共に、本体部の内外を連通する通水部が形成された蓋部、扉支持具と本体部との間に介設され、扉支持具と本体部の両内部間を連通する導水部、および本体部に連設され、本体部内を排水路に連通する排水部を有する排水ユニットとを備える。
【００３４】
そして、扉の外周縁を受けて扉を支持する長尺溝状の扉支持具を備えるので、扉の支持開閉に必要な部材を、扉外部の扉支持具に配置して扉自体には取り付けないようにすることができ、扉の大きさや重量の増加を抑制し、扉の設置性や開閉操作性の向上を図ることができる。
【００３５】
更に、流入する水を受容する有底箱状の本体部、本体部の上部開口に着脱可能に覆設されると共に、本体部の内外を連通する通水部が形成された蓋部、扉支持具と本体部との間に介設され、扉支持具と本体部の両内部間を連通する導水部、および本体部に連設され、本体部内を排水路に連通する排水部を有する排水ユニットを備えるので、雨水等がスライド式扉の外表面に付着してそのまま流下する等して扉支持具内に溜まった際においても、従来のような手作業による排水作業を行うことなく、排水ユニットへの排水が自動的に行われるようにすることができる。これにより、排水作業の作業負荷が低減できると共に、扉支持具から水が溢れたり、排水作業のために扉を一度開放したりして、屋内の床面を濡らす等のトラブルを確実に防止することができる。
【００３６】
しかも、たとえ、扉支持具内に不純物が溜まっても、このような不純物は、溜まった水と一緒に排水ユニットを介して排水路へ排出されるので、以前は、扉支持具と排水ユニットの各々について行っていた清掃作業を、排水ユニットのみで済ませることができる。これにより、扉支持具に関する清掃作業による作業負荷の削減も図ることができる。
【００３７】
詳しくは、流入する水を受容する有底箱状の本体部を有するので、上部開口から本体部内に直接流入する水に加え、並設された扉支持具内に溜まる水も、例えば後述する導水部を介し流入させるようにして、この本体部を様々な排水の集水器として機能させることができる。
【００３８】
本体部の上部開口に着脱可能に覆設されると共に、本体部の内外を連通する通水部が形成された蓋部を有するので、歩行者が上部開口に足下を取られることなく蓋部上を通って扉に向かうことができると共に、蓋部を取り外して本体部内に容易にアクセスして清掃作業ができる。しかも、扉支持具内から溢れ出てきた水も、蓋部上に溜まることなく、孔やスリットのような通水部を介して本体部内に円滑に流入するため、歩行者が蓋部上で滑ることがない。これにより、本体部の集水器としての機能を充分に発揮させつつ、歩行者の通行性や清掃作業の作業性を高めることができる。
【００３９】
扉の外周縁を受けて扉を支持する長尺溝状の扉支持具と本体部との間に介設され、扉支持具と本体部の両内部間を連通する導水部を有するので、この導水部を介することにより、扉支持具内に溜まる水を排水ユニットの本体部に流入させることができる。
【００４０】
本体部に連設され、本体部内を排水路に連通する排水部を有するので、この排水部を介することにより、本体部内に流入して集まった水を排水路へ排出することができる。このような、導水部、本体部、排水部を連設しただけの簡単な構成で、扉支持具内に溜まる水を、この排水部から排水路へ効率よく排出することができる。
【００４１】
上記の目的を達成するために、本発明の排水方法は、扉の外周縁を受けて扉を支持する長尺溝状の扉支持具内に流入した水を、扉支持具と排水ユニットの有底箱状の本体部との間に連通可能に介設された導水部を介して、本体部にまで導く導水ステップと、扉支持具内からの水を、本体部の上部開口に着脱可能に覆設された蓋部の通水部を通って本体部内に流入する水と一緒に、本体部に連設された排水部を介して、排水路へ排出する排水ステップとを備える。
【００４２】
そして、扉の外周縁を受けて扉を支持する長尺溝状の扉支持具内に流入した水を、扉支持具と排水ユニットの有底箱状の本体部との間に連通可能に介設された導水部を介して、本体部にまで導く導水ステップを備えるので、雨水等がスライド式扉の外表面に付着してそのまま流下する等して扉支持具内に溜まった際においても、従来のような手作業による排水作業を行うことなく、雨水等を自動的に本体部に移動させることができる。これにより、排水作業の作業負荷が低減できると共に、扉支持具から水が溢れたり、排水作業のために扉を一度開放したりして、屋内の床面を濡らす等のトラブルを確実に防止することができる。
【００４３】
しかも、たとえ、扉支持具内に不純物が溜まっても、このような不純物は、溜まった水と一緒に本体部に移動されるので、以前は、扉支持具と排水ユニットの各々について行っていた清掃作業を、排水ユニットのみで済ませることができる。これにより、扉支持具に関する清掃作業による作業負荷の削減も図ることができる。
【００４４】
更に、扉支持具内からの水を、本体部の上部開口に着脱可能に覆設された蓋部の通水部を通って本体部内に流入する水と一緒に、本体部に連設された排水部を介して、排水路へ排出する排水ステップを備えるので、本体部を様々な排水の集水器として機能させるようにして、扉支持具内に溜まる水を、導水部、本体部、排水部を連設しただけの簡単な構成を介して排水部から排水路へ効率よく排出することができる。
【００４５】
しかも、前述のような蓋部を覆設するので、歩行者が上部開口に足下を取られることなく蓋部上を通って扉に向かうことができると共に、蓋部を取り外して本体部内に容易にアクセスして清掃作業ができる。加えて、扉支持具内から溢れ出てきた水も、蓋部上に溜まることなく、孔やスリットのような通水部を介して本体部内に円滑に流入するため、歩行者が蓋部上で滑ることがない。これにより、本体部の集水器としての機能を充分に発揮させつつ、歩行者の通行性や清掃作業の作業性を高めることができる。
【発明の効果】
【００４６】
本発明の排水ユニット、排水システム、および排水方法は、簡単な構成でありながら、扉の外周縁の下端を受ける扉支持具に溜まる水を、排水ユニットを介して効率良く排水することができるものとなっている。
【図面の簡単な説明】
【００４７】
【図１】本発明の第１実施形態に係る排水システムを示し、その中間部を一部省略した斜視図である。
【図２】図１に示す排水システムの分解斜視図である。
【図３】図１に示す排水システムの中間部を一部省略した平面図である。
【図４】図１に示す排水システムのＸ−Ｘ矢視断面図である。
【図５】図４に示す矢印Ｑ方向から見た説明図である。
【図６】本発明に係る排水システムの設置状態を示す斜視図であり、（ａ）は蓋部の通水部がスリットであり、（ｂ）は蓋部の通水部が孔である。
【図７】本発明の排水ユニットにおける導水部の変形例を示し、（ａ）は変形例１の断面図、（ｂ）は変形例２の断面図、（ｃ）は変形例３の断面図である。
【図８】本発明の排水ユニットにおける枡部の変形例（変形例４）を示す断面図である。
【図９】本発明の排水ユニットにおける本体部の変形例（変形例５）を示し、（ａ）は分解斜視図であり、（ｂ）は（ａ）のＹ−Ｙ矢視断面図である。
【図１０】本発明の排水ユニットにおける本体部の変形例（変形例６）の斜視図である。
【図１１】本発明の排水ユニットにおける本体部の変形例（変形例７）の分解斜視図である。
【図１２】本発明の排水方法のステップを示すフローチャートである。
【図１３】特許文献１記載の下部ガイドレールに摺動可能に支持されたスライド式扉を示し、（ａ）はスライド式扉の正面図、（ｂ）は（ａ）のＺ−Ｚ矢視断面図である。
【発明を実施するための形態】
【００４８】
図１ないし図１２を参照して、本発明の実施の形態を更に詳細に説明する。なお、各図における符号は、煩雑さを軽減し理解を容易にする範囲内で付している。
【００４９】
〔第１実施形態〕
本発明に係る排水システムＡについて説明する。この排水システムＡは、扉支持具１と本発明に係る排水ユニット２とを備えており、各部については以下詳述する。
【００５０】
（扉支持具１）
図１ないし図６に示すように、扉支持具１は、扉の外周縁（本実施形態では図６に示すように、スライド式扉３の下縁）を受けて支持するステンレススチール製の器具であり、長尺かつ断面視凹溝状であって、溝部１０の底面１１には水抜き孔１２が形成されると共に、この溝部１０は、地面Ｆ１よりも下に位置するように埋設される部材である。
【００５１】
そして、扉支持具１の上部開口１ａの外周縁１ａ１には、外側に張り出した長尺フランジ状の張出縁部１３１、１３２が設けられている。この部分は、設置時において屋内側の床面Ｆ２と略面一となると共に、このうち排水ユニット２側に配置された張出縁部１３１は、後述する排水ユニット２の張出縁部２０２と当接して並設すべく適当な間隔を保持するためのスペーサーとして機能する。
【００５２】
更に、スライド式扉３の支持開閉に必要な部材を、スライド式扉３の外部に設けた扉支持具１に配置してスライド式扉３自体には取り付けないようにしている。これにより、スライド式扉３の大きさや重量の増加を抑制し、スライド式扉３の設置性や開閉操作性の向上を図ることができる。
【００５３】
（排水ユニット２）
排水ユニット２は、流入する水を受容する本体部２０、本体部２０の上部開口２０ａに着脱可能に覆設される蓋部２２、前述の扉支持具１と本体部２０との間に介設された導水部２３、および本体部に連設された排水部２４を有する。
【００５４】
このうちの本体部２０は、水密に設けられたステンレススチール製の直方形の有底箱体であり、扉支持具１と略同じ長さに形成されている。
【００５５】
そして、本体部２０は、上部が開口しており、この上部開口２０ａの外周縁２０ａ１にも、扉支持具１の張出縁部１３１、１３２と同様、外側に張り出した長尺フランジ状の張出縁部２０１、２０２が設けられている。
【００５６】
ただし、この張出縁部２０１、２０２は、外周縁２０ａ１において、扉支持具１の長手方向に略平行な部分のみに限定して配置されており、短手方向の外周縁２０ａ１には、本体部２０の板厚方向断面のみからなる薄い縁部が露出することとなる。これにより、水がこの縁部の上面を伝うように流れることができずに水切りされることとなり、扉支持具１の短手方向への水の流れを抑制可能な水切り構造が構成される。
【００５７】
更に、本体部２０には、底面２０３の所要箇所に、凹状の枡部２１が設けられている。この枡部２１は、本体部２０の長手方向と平行な長辺を有する長方形の底板２１０と、底板２１０の各辺から立設され、上縁が本体部２０の底面２０３に接続する側壁部２１１と、枡部２１の上部開口に着脱可能で複数の通水孔を有する排水皿２１９により構成される。
【００５８】
この側壁部２１１のうち、扉支持具１側には、導水部２３に接続する第１連結口２３０が形成され、扉支持具１と反対側には、排水部２４に接続する第２連結口２４０が形成されている。そして、この第１連結口２３０と第２連結口２４０とは対向して形成されると共に、導水部２３内から第１連結口２３０を通る第１軸心５１と、第２連結口２４０から排水部２４内を通る第２軸心５２とが互いに平行に近接して配置されている。
【００５９】
加えて、図５に示すように、第１連結口２３０の下縁２３０ａは、第２連結口２４０の下縁２４０ａよりも高位置に設定され、かつ、第１軸心５１と第２軸心５２間にあって両軸心に平行な中間軸心５３の方向視において、第１連結口２３０は第２連結口２４０の内側に形成されている。
【００６０】
蓋部２２には、前述の如く、本体部２０の上部開口２０ａに着脱可能に覆設されるものであって、本体部２０の内外を連通する通水部が形成されている。そして、本実施形態においては、図６（ａ）に示すように、蓋部２２は、本体部２０の底面２０３に載置する簀子型であって、通水部として長尺のスリット２２１が形成され、このスリット２２１は、扉支持具１と略同じ長さであって、長手方向に平行に複数形成された態様である。
【００６１】
より詳しくは、蓋部２２は、複数本（本実施例では５本）の簀子部材２２２を所要間隔で並設して連結してなるものである。この簀子部材２２２は、細長帯状のステンレス板を上部の二箇所で下方に折曲して形成してあり、頂面２２２ａが平面で蓋部２２の上面を構成し、頂面の一端側から垂設した部分が支脚壁２２２ｂを構成する。なお、各支脚壁２２２ｂは、蓋部２２を本体部２０に設置したとき、上からの加重を支える高い剛性を付与するものである。
【００６２】
各支脚壁２２２ｂには、並べたときに軸線を同じにした貫通孔（符号省略）が水平方向に複数（本実施形態では長さ方向の両側に一箇所ずつ、中央部分に一箇所の合計三箇所）を設けられ、この貫通孔に連結ボルト（符号省略）を挿入し、挿入端にナットを螺着して簀子部材２２２を連結する。隣接する支脚壁の間には間隔保持管（符号省略）が配され、間隔保持管に連結ボルトを嵌挿しており、これによって各支脚壁同士は一定の間隔を保持した状態（通水部であるスリット２２１が形成された状態）で固定される。
【００６３】
導水部２３は、前述の如く、扉支持具１と本体部２０との間に介設されるものであって、扉支持具１と本体部２０の両内部間を連通している。そして、本実施形態においては、導水部２３は、上面２３１が略水平となる角パイプによって形成され、上面２３１において、前述した扉支持具１の水抜き孔１２と対応する位置には、導水孔２３２が形成されている（図２参照）。
【００６４】
排水部２４は、本体部２０内を図示せぬ排水路に連通するものであって、本実施形態では、先部に外ネジ２４１が切られた丸パイプによって形成されると共に、第２連結口２４０の下縁２４０ａの一部が枡部２１の底板２１０の底面２１０ａと略同一高さに設定されている（図４参照）。なお、排水路としては、下水道、家庭用貯留槽、河川、湖畔、海までの水路等が挙げられるが、排水が可能なものであればよく、特に限定されるものではない。
【００６５】
本実施形態において、扉支持具１は、前述の態様であるが、これに限定するものではなく、例えば、水抜き孔１２は、溝部１０内の側壁にも形成可能であるが、扉開閉時の音鳴り防止や排水効率の観点から、底面１１に形成されることが好ましい。また、溝部１０は、床面よりも上に位置してもよいが通行者が躓くおそれがあるので、安全性や見た目のまとまりの良さの観点から、埋設されることが好ましい。
【００６６】
そして、本実施形態において、扉支持具１は、アルミニウム合金等の他の金属、あるいは合成樹脂等の他の材料で形成してもよいし、またはこれら材料の組み合わせによるものであってもよい。また、上部開口１ａの外周縁１ａ１に、前述のような張出縁部１３１、１３２を設けない態様であってもよい。
【００６７】
本実施形態において、蓋部２２の通水部はスリット２２１であるが、これに限定するものではなく、図６（ｂ）に示すように、通水部が貫通した複数の孔である態様の蓋部２２ａであってもよく、また、通水部が網状である（図示省略）等、本体部の内外を連通して通水可能なもので、所定の耐荷重性があればよい。
【００６８】
（作  用）
図１ないし図６（特に図４）により、本発明の作用効果を説明する。図６（ａ）に示すように、扉支持具１は、前述の如くスライド式扉３の外周の下縁を受けて支持すると共に、溝部１０に沿って開閉方向への動きをガイドできるようにしている。
【００６９】
そして、このスライド式扉３は、建物の屋外との出入口に設置されているため、雨天時に、雨水は外表面に付着してそのまま流下したり、あるいは、地面上を伝う雨水が扉支持具１まで流動して流入したりする。
【００７０】
しかしながら、本発明の排水システムＡによれば、扉支持具１内に溜まった水は、水抜き孔１２から導水部２３に排出され、導水部２３を介することで本体部２０内へ流入させることができる。図４に、この水の流れＷ１を矢印線で示す。
【００７１】
更に、覆設された蓋部２２のスリット２２１を介し、地面上を伝う雨水も本体部２０内に流入し、本体部２０を様々な排水の集水器として機能させることができ、これは、図６（ｂ）に示す、通水部が貫通した複数の孔の排水システムＡ１の場合も同様である。図４に、スリット２２１を介して本体部２０に流入する水の流れＷ２、Ｗ３を矢印線で示す。
【００７２】
加えて、本体部２０は、前述の如く、上部開口２０ａに水切り構造を有するため、扉支持具１と反対側から流れてきた水を、例えば流れＷ３に示すように本体部２０内に流下させることができ、排水ユニット２の上面を伝って扉まで流れる水の量を減少させ、扉支持具１内に溜まる水自体を減らすことができる。
【００７３】
そして、本体部２０の底面２０３に形成された枡部２１では、前述の如く、側壁部２１１に第１連結口２３０と第２連結口２４０とが対向して形成されると共に、第１軸心５１と第２軸心５２とが互いに平行に近接して配置され、更に、第１連結口２３０の下縁２３０ａが第２連結口２４０の下縁２４０ａよりも高位置に設定され、加えて、第１連結口２３０が、中間軸心５３の方向視において、第２連結口２４０の内側に形成されることによって、流れＷ１に示すように、第１連結口２３０から枡部２１内に流入した水の大部分を、周囲に分散させることなく第２連結口２４０の方向に向かって直線的に流動させることができる。
【００７４】
これにより、枡部２１内の水の通過距離が短くなると共に、水の流れが層流的なものとなって排水速度が安定し、排水効率を向上させることができる。更に、枡部２１を、本体部２０の底面２０３より低い位置にあるので、この高低差によって、流れＷ２、Ｗ３に示す上部開口１ａから本体部２０内に流入する水の流れが加速されるため、導水部２３からの水の流れＷ１の流速は低下しにくくなり、排水効率を更に向上させることができる。
【００７５】
なお、第１連結口２３０の下縁２３０ａが第２連結口２４０の下縁２４０ａよりも高位置であるため、枡部２１内に水が溜まりすぎても、第２連結口２４０からの排水が優先されて水面が第１連結口２３０の下縁２３０ａを超えにくくすることができ、枡部２１内の水が導水部２３へ逆流するのを防止することができる（図４、図５参照）。
【００７６】
そして、枡部２１の底面２１０ａと第２連結口２４０の下縁２４０ａの少なくとも一部とが略同一高さに設定されることによって、前述の第１連結口２３０の配置による作用効果と相俟って、枡部２１内から第２連結口２４０へ向かう水の流れを一層円滑にして、排水効率を更に向上させることができる。そして、この第２連結口２４０に接続する排水部２４により、本体部２０内に溜まった水を排水路へ排出することができる（図５参照）。
【００７７】
更に、蓋部２２に、前述のようなスリット２２１が形成されることによって、扉支持具１内から溢れ出てきた水（流水Ｗ２）だけでなく、扉支持具１と反対側から流れてきた水（流水Ｗ３）も、蓋部２２上を伝うように流さずに本体部２０内に円滑に流入するため、蓋部２２上に溜まるがことないことに加え、足裏と蓋部表面との接触面積が減少して摩擦抵抗が増加するため、扉へ向かう歩行者の足下について優れた滑り止め効果を発揮し、歩行者の通行性を一層高めることができる。
【００７８】
なお、蓋部２２は、大型の不純物が本体部２０内に入り込むことを防止すると共に、蓋部２２は、取り外すことで本体部２０内に簡単にアクセスでき、内部を清掃できるようにしてある。
【００７９】
加えて、枡部２１を、水中の不純物を沈降させて貯留するトラップ構造部として機能させることができ、本体部２０内に水と一緒に流れ込んだ不純物の大半を、流水によって枡部２１内に集めて底に沈積させ、前述の蓋部２２を取り外しての清掃の際には、枡部２１を中心に清掃作業を行えばよく、清掃作業の作業性を更に高めることができる。
【００８０】
以上のような構成により、本発明の排水システムＡ、Ａ１は、雨水等がスライド式扉３の外表面に付着してそのまま流下する等して扉支持具１内に溜まった際においても、従来のような手作業による排水作業を行うことなく、排水ユニット２への排水が自然に行われるようにすることができる。これにより、簡易な構成でありながら、排水作業の作業負荷が低減できると共に、扉支持具１から水が溢れたり、排水作業のために扉を開放したりして、屋内の床面を濡らす等のトラブルを確実に防止することができる。
【００８１】
しかも、たとえ、扉支持具１内に不純物が溜まっても、このような不純物は、溜まった水と一緒に排水ユニット２を介して排水路へ排出されるので、以前は、扉支持具１と排水ユニット２の各々について行っていた清掃作業を、排水ユニット２のみで済ませることができる。これにより、扉支持具１に関する清掃作業による作業負荷の削減も図ることができる。
【００８２】
〔変形例１〜７〕
次に、本発明の変形例について説明する。なお、先に説明した各部と同様の構造部分については、その構造および作用効果の説明を省略する。先に説明した各部と同様の構造部分については、符号は一部省略するか、共通の符号を付している。
【００８３】
〔変形例１：導水部２３Ａ〕
図７（ａ）に示す変形例１（導水部２３Ａ）は、導水部２３の他の態様であり、略水平な上面２３１ａに対し、底面２３３ａにおいては、上面２３１ａに形成された導水孔２３２の鉛直下方位置に、第１連結口２３０側に向かって大きく下方傾斜する傾斜面２３３ａ１が部分的に形成され、側面視直角台形状に設けられている。
【００８４】
本変形例の導水部２３Ａによれば、扉支持具１側の水抜き孔１２から排出された水が、底面２３３ａの傾斜面２３３ａ１に沿って流下するので、導水部２３Ａの底面全体が水平である場合と比較して、扉支持具１側から第１連結口側２３０に向かう水の流速を速めることができる。
【００８５】
〔変形例２：導水部２３Ｂ〕
図７（ｂ）に示す変形例２（導水部２３Ｂ）は、導水部２３の他の態様であり、略水平な上面２３１ｂに対し、底面２３３ｂ全体が第１連結口２３０側に向かって下方傾斜するようにして、側面視直角三角形状に設けられている。
【００８６】
本変形例の導水部２３Ｂによれば、扉支持具１側から第１連結口２３０側に向かって下方傾斜が連続しているので、傾斜面である底面２３３ｂに沿って流下する水の流速を更に速めることができると共に、丸い砂等の不純物が底面２３３ｂに沿って転動して下方に向かいやすくすることができる。
【００８７】
〔変形例３：導水部２３Ｃ〕
図７（ｃ）に示す変形例３（導水部２３Ｃ）は、導水部２３の他の態様であり、角パイプ状の導水部２３Ｃ内に傾斜面を形成可能な傾斜形成部材２３５を挿着することによって、扉支持具１側から第１連結口２３０側に向かって下方傾斜する傾斜面２３５ａが導水部２３Ｃ内に形成されている。
【００８８】
本変形例の導水部２３Ｃによれば、扉支持具１側から第１連結口２３０側に向かって下方傾斜が連続しているので、傾斜面２３５ａに沿って流下する水の流速を更に速めることができると共に、丸い砂等の不純物が傾斜面２３５ａに沿って転動して下方に向かいやすくすることができる。
【００８９】
加えて、前述の傾斜形成部材２３５を合成樹脂により形成し、導水部２３Ｃ内に挿着することにより、溶接等の特殊技術を伴わない簡易な方法で、かつ安価に、導水部２３Ｃ内に傾斜面を設けることができる。
【００９０】
変形例１〜３の導水部２３Ａ、２３Ｂ、２３Ｃによれば、導水部２３Ａ、２３Ｂ、２３Ｃ内に流入した水を、傾斜面２３３ａ１、２３３ｂ、２３５ａに沿うように流下させることで、流速を速めることができる。これにより、枡部２１内の水の流速も速めて、排水効率を更に向上させることができる。
【００９１】
加えて、この排水の際に、扉支持具１内から水と一緒に排出された不純物が導水部２３Ａ、２３Ｂ、２３Ｃ内に溜まらずに枡部２１方向へ効率良く排出され、そして、排出された不純物は、本体部２０や枡部２１の底に沈積してまとまるので、清掃作業時に取り出しやすい。このように、前述の傾斜面は、排水効率の向上のみならず、導水部２３Ａ、２３Ｂ、２３Ｃ内の清掃を不要とし、排水ユニットＡ内の清掃作業の効率を更に高めることができる。
【００９２】
〔変形例４：枡部２１Ａ〕
図８に示す変形例４（枡部２１Ａ）は、枡部２１の他の態様であり、底面に移動抑止構造２１８を有するものである。この移動抑止構造２１８は、枡部２１Ａの底面から第２連結口２４０を開口した側壁２１１にかけて凹状の隅部２１７を形成し、この隅部２１７に水を滞留させて水中の不純物の移動を抑えるものである。
【００９３】
本変形例の枡部２１Ａによれば、たとえ流水下部に粗大で重い不純物が存在しても、この粗大で重い不純物は、この隅部２１７によって跳ね返され、それ以上の第２連結口２４０内への移動が難しくなり、粗大で重い水中の不純物を隅部２１７に留めるようにして、第２連結口２４０に接続された排水部２４、及びそれにつながる下水管（図示省略）内に不純物が流入しにくくすることができ、排水部２４等の詰まりを防止することができる。更に、前述したトラップ構造による効果と相俟って、本体部２０内に水と一緒に流れ込んだ不純物のほとんどを枡部２１Ａの底に沈積させることができ、枡部２１Ａを中心とした清掃によって清掃作業の作業性を更に一層高めることができる。
【００９４】
〔変形例５：本体部２０Ａ〕
図９（ａ）（ｂ）に示す変形例５（本体部２０Ａ）は、本体部２０の他の態様であり、底面２０３ａに枡部が設けられておらず、本体部２０Ａの側壁部２０４ａに第１連結口２３０と第２連結口２４０が直接形成されているものである。なお、本変形例においては、第１実施形態と同様に、第１連結口２３０と第２連結口２４０とが互いに平行に近接して配置されると共に、中間軸心５３の方向視において、第１連結口２３０が第２連結口２４０の内側に形成されている。
【００９５】
本変形例の本体部２０Ａによれば、第１連結口２３０と第２連結口２４０が形成された枡部を設けないことで、構成を簡略化することができ、これにより、製造効率の向上、製造コストの抑制を図ることができる。
【００９６】
〔変形例６：本体部２０Ｂ〕
図１０に示す変形例６（本体部２０Ｂ）は、本体部２０Ａの他の態様であり、導水部２３が間隔を開けて複数（本変形例では３つ）設けられている。
【００９７】
本変形例の本体部２０Ｂによれば、導水部２３が複数設けられていることによって、扉支持具１内からの排水を迅速かつ円滑に行うことができる。
【００９８】
〔変形例７：本体部２０Ｃ〕
図１１に示す変形例７（本体部２０Ｃ）は、本体部２０の他の態様であり、前述の枡部２１と同じ構成の枡部が、本体部２０Ｃの長手方向に間隔を開けて複数（本変形例では３つ）設けられている。
【００９９】
本変形例の本体部２０Ｃによれば、導水部２３および排水部２４が対になって複数設けられていることによって、扉支持具１内からの排水を迅速かつ円滑に行うことができる共に、本体部２０Ｃからの排水も迅速かつ円滑に行うことができる。
【０１００】
〔排水方法〕
次に、前述した排水ユニット２を用いた排水方法について、図１２により説明する。本発明の排水方法は、導水ステップＳ１と排水ステップＳ２を備える。
【０１０１】
導水ステップＳ１は、扉（本実施の形態では、前述の通りスライド式扉３）の外周縁を受けてスライド式扉３を支持する長尺溝状の扉支持具１内に流入した水を、扉支持具１と排水ユニット２の有底箱状の本体部２０との間に連通可能に介設された導水部２３を介して、本体部２０にまで導くステップである。
【０１０２】
排水ステップＳ２は、扉支持具１内からの水を、本体部２０の上部開口２０ａに着脱可能に覆設された蓋部２２の通水部（本実施の形態では、前述の通りスリット２２１）を通って本体部２０内に流入する水と一緒に、本体部２０に連設された排水部２４を介して排水路へ排出するステップである。
【０１０３】
導水ステップＳ１によれば、雨水等がスライド式扉３の外表面に付着してそのまま流下する等して扉支持具１内に溜まった際においても、従来のような手作業による排水作業を行うことなく、雨水等を自動的に本体部２０に移動させることができる。これにより、排水作業の作業負荷が低減できると共に、扉支持具１から水が溢れたり、排水作業のためにスライド式扉３を一度開放したりして、屋内の床面Ｆ２を濡らす等のトラブルを確実に防止することができる。
【０１０４】
しかも、たとえ、扉支持具１内に不純物が溜まっても、このような不純物は、溜まった水と一緒に本体部２０に移動されるので、以前は、扉支持具１と排水ユニット２の各々について行っていた清掃作業を、排水ユニット２のみで済ませることができる。これにより、扉支持具１に関する清掃作業による作業負荷の削減も図ることができる。
【０１０５】
更に、排水ステップＳ２によれば、本体部２０を様々な排水の集水器として機能させるようにして、扉支持具１内に溜まる水を、導水部２３、本体部２０、排水部２４を連設しただけの簡単な構成を介して排水部２４から排水路へ効率よく排出することができる。
【０１０６】
しかも、前述のような蓋部２２を覆設するので、歩行者が上部開口に足下を取られることなく蓋部２２上を通ってスライド式扉３に向かうことができると共に、蓋部２２を取り外して本体部２０内に容易にアクセスして清掃作業ができる。加えて、扉支持具１内から溢れ出てきた水も、蓋部２２上に溜まることなく、スリット２２１や孔を介して本体部２０内に円滑に流入するため、歩行者が蓋部２２上で滑ることがない。これにより、本体部２０の集水器としての機能を充分に発揮させつつ、歩行者の通行性や清掃作業の作業性を高めることができる。
【０１０７】
以上のように、本発明を適用した排水ユニット、排水システム、および排水方法は、簡単な構成でありながら、扉の外周縁を受ける扉支持具に溜まる水を、排水ユニットを介して効率良く排水することができるものとなっている。
【０１０８】
本明細書および特許請求の範囲で使用している用語と表現は、あくまでも説明上のものであって、なんら限定的なものではなく、本明細書および特許請求の範囲に記述された特徴およびその一部と等価の用語や表現を除外する意図はない。また、本発明の技術思想の範囲内で、種々の変形態様が可能であるということは言うまでもない。また、第一、第二などの言葉は、等級や重要度を意味するものではなく、一つの要素を他の要素から区別するために使用したものである。
【符号の説明】
【０１０９】
Ａ、Ａ１    排水システム
１    扉支持具
１ａ    上部開口
１ａ１    外周縁
１０    溝部
１１    底面
１２    水抜き孔
１３１、１３２    張出縁部
２    排水ユニット
２０、２０Ａ、２０Ｂ、２０Ｃ    本体部
２０ａ    上部開口
２０ａ１    外周縁
２０１、２０２    張出縁部
２０３、２０３ａ    底面
２０４ａ    側壁部
２１、２１Ａ    枡部
２１０    底板
２１０ａ    底面
２１１    側壁部
２１７    隅部
２１８    移動抑止構造
２１９    排水皿
２２、２２ａ    蓋部
２２１    スリット
２２２    簀子部材
２２２ａ    頂面
２２２ｂ    支脚壁
２３、２３Ａ、２３Ｂ、２３Ｃ    導水部
２３０    第１連結口
２３１、２３１ａ、２３１ｂ    上面
２３２    導水孔
２３３ａ、２３３ｂ    底面
２３３ａ１    傾斜面
２３５    傾斜形成部材
２３５ａ    傾斜面
２４    排水部
２４０    第２連結口
２４０ａ    下縁
２４１    外ネジ
３    スライド式扉
５１    第１軸心
５２    第２軸心
５３    中間軸心
Ｆ１    地面
Ｆ２    床面
Ｓ１    導水ステップ
Ｓ２    排水ステップ
Ｗ１、Ｗ２、Ｗ３    流水
９０    スライド式扉
９１    下部ガイドレール
９２    ガイド溝
【図１】
2018178557.tif 000003
【図２】
2018178557.tif 000004
【図３】
2018178557.tif 000005
【図４】
2018178557.tif 000006
【図５】
2018178557.tif 000007
【図６】
2018178557.tif 000008
【図７】
2018178557.tif 000009
【図８】
2018178557.tif 000010
【図９】
2018178557.tif 000011
【図１０】
2018178557.tif 000012
【図１１】
2018178557.tif 000013
【図１２】
2018178557.tif 000014
【図１３】
2018178557.tif 000015
【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
流入する水を受容する有底箱状の本体部と、
該本体部の上部開口に着脱可能に覆設されると共に、前記本体部の内外を連通する通水部が形成された蓋部と、
扉の外周縁を受けて該扉を支持する長尺溝状の扉支持具と前記本体部との間に介設され、同扉支持具と本体部の両内部間を連通する導水部と、
前記本体部に連設され、該本体部内を排水路に連通する排水部とを備える
排水ユニット。
【請求項２】
前記本体部は、
底面に凹状の枡部を有し、
該枡部の側壁部に、前記導水部に接続する第１連結口と前記排水部に接続する第２連結口とが対向して形成されると共に、前記導水部内から第１連結口を通る第１軸心と第２連結口から排水部内を通る第２軸心とが互いに平行に近接して配置される
請求項１に記載の排水ユニット。
【請求項３】
前記第１連結口の下縁は、
前記第２連結口の下縁よりも高位置に設定する
請求項２に記載の排水ユニット。
【請求項４】
前記第１連結口は、
前記第１軸心と第２軸心間にあって両軸心に平行な中間軸心の方向視において、前記第２連結口の内側に形成される
請求項２または請求項３に記載の排水ユニット。
【請求項５】
前記第２連結口の下縁の少なくとも一部は、
前記枡部の底面と略同一高さに設定する
請求項２、請求項３または請求項４に記載の排水ユニット。
【請求項６】
前記枡部には、
該枡部の底面から前記第２連結口を開口した側壁にかけて凹状の隅部を形成し、
該隅部に水を当てて水中の不純物の移動を抑える移動抑止構造を有する
請求項２、請求項３または請求項４に記載の排水ユニット。
【請求項７】
前記導水部は、
該導水部の流路底面に、
前記扉支持具側から第１連結口側に向かって下方傾斜する傾斜面を有する
請求項１、請求項２、請求項３、請求項４、請求項５または請求項６に記載の排水ユニット。
【請求項８】
前記通水部は、
前記本体部の内外を貫通する長尺のスリットであって、
該スリットは、前記扉支持具の長手方向に平行に複数形成される
請求項１、請求項２、請求項３、請求項４、請求項５、請求項６または請求項７に記載の排水ユニット。
【請求項９】
前記本体部は、
前記上部開口に、外側に張り出した長尺フランジ状の張出縁部を設け、
該張出縁部は、前記扉支持具の長手方向に略平行な部分のみに限定して配置することにより、同扉支持具の短手方向への水の流れを抑制する水切り構造を有する
請求項１、請求項２、請求項３、請求項４、請求項５、請求項６、請求項７または請求項８に記載の排水ユニット。
【請求項１０】
扉の外周縁を受けて該扉を支持する長尺溝状の扉支持具と、
流入する水を受容する有底箱状の本体部、該本体部の上部開口に着脱可能に覆設されると共に、前記本体部の内外を連通する通水部が形成された蓋部、前記扉支持具と本体部との間に介設され、同扉支持具と本体部の両内部間を連通する導水部、および前記本体部に連設され、該本体部内を排水路に連通する排水部を有する排水ユニットとを備える
排水システム。
【請求項１１】
扉の外周縁を受けて該扉を支持する長尺溝状の扉支持具内に流入した水を、該扉支持具と排水ユニットの有底箱状の本体部との間に連通可能に介設された導水部を介して、前記本体部にまで導く導水ステップと、
前記扉支持具内からの水を、前記本体部の上部開口に着脱可能に覆設された蓋部の通水部を通って本体部内に流入する水と一緒に、前記本体部に連設された排水部を介して排水路へ排出する排水ステップとを備える
排水方法。